(57)【要約】【課題】エンジン停止状態にあって的確に差圧センサのゼロ点校正を行う。【解決手段】エンジン２０の排気通路２２に配設されて排気中のパティキュレートを捕集するフィルタ１と、フィルタ上流側の排圧とフィルタ下流側の排圧との差圧を検出する差圧センサ３と、エンジン停止状態で差圧センサ３のゼロ点校正を行うゼロ点校正手段３０と、を備えた排気浄化装置において、ゼロ点校正手段３０は、エンジン温度が所定温度を超えている場合にゼロ点校正を行う。【選択図】図２
2005307884.tif 000002
【特許請求の範囲】
【請求項１】
エンジンの排気通路に配設されて排気中のパティキュレートを捕集するフィルタと、フィルタ上流側の排圧とフィルタ下流側の排圧との差圧を検出する差圧センサと、エンジン停止状態で差圧センサのゼロ点校正を行うゼロ点校正手段と、を備えた排気浄化装置において、
前記ゼロ点校正手段は、エンジン温度が所定温度を超えている場合にゼロ点校正を行うことを特徴とする排気浄化装置。
【請求項２】
前記ゼロ点校正手段は、エンジンが停止して所定時間経過してからゼロ点校正を行うことを特徴とする請求項１に記載の排気浄化装置。
【請求項３】
前記ゼロ点校正手段は、外気温度が所定温度以下にある場合にゼロ点校正を行うことを特徴とする請求項１または２に記載の排気浄化装置。
【発明の詳細な説明】
【技術分野】
【０００１】
この発明は、例えばディーゼルエンジンの排気パティキュレートを処理する排気浄化装置に関する。
【背景技術】
【０００２】
ディーゼルエンジンから排出される排気パティキュレート（カーボン粒子等）を処理するために、排気系にフィルタ（ＤＰＦ）を配置したものでは、フィルタでのパティキュレートの捕集量が所定量になると、フィルタを加熱装置により加熱したり、燃料の噴射時期を変えて排気温度を上昇させたり、いわゆるポスト噴射を行って、捕集したパティキュレートを燃焼処理して、フィルタの再生を行うようにしている。
【０００３】
この場合、フィルタの上流の圧力と下流の圧力との差圧を検出する差圧センサを設けて、パティキュレートの捕集量が所定量に達したか、すなわちフィルタの再生時期どうかを判定するものがあるが、差圧センサに検出誤差があると、フィルタの再生時期を的確には把握しにくい。
【０００４】
そのため、エンジンのアイドル運転時に差圧センサのゼロ点校正を行うもの（例えば、特許文献１）、エンジンキースイッチのオン直前もしくはオフ直後に差圧センサのゼロ点校正を行うもの（例えば、特許文献２）がある。
【特許文献１】特開２００２−２０６４１９
【特許文献２】特開２００３−３１４２４８
【発明の開示】
【発明が解決しようとする課題】
【０００５】
しかし、特許文献１のように、エンジンの運転時は、排気脈動やフィルタのつまり度合いにより、差圧が不安定であり、精度良くゼロ点校正するのは難しい。
【０００６】
また、特許文献２のものは、ゼロ点校正をエンジンキースイッチのオン直前もしくはオフ直後に行うが、ゼロ点校正時の差圧センサの雰囲気温度や差圧センサ自体の温度により、差圧センサの出力値にバラツキが生じるため、精度良くゼロ点校正するのは難しい。
【０００７】
この発明は、エンジン停止状態にあって的確に差圧センサのゼロ点校正を行うことを目的としている。
【課題を解決するための手段】
【０００８】
本発明は、エンジンの排気通路に配設されて排気中のパティキュレートを捕集するフィルタと、フィルタ上流側の排圧とフィルタ下流側の排圧との差圧を検出する差圧センサと、エンジン停止状態で差圧センサのゼロ点校正を行うゼロ点校正手段と、を備えた排気浄化装置において、ゼロ点校正手段は、エンジン温度が所定温度を超えている場合にゼロ点校正を行う。
【発明の効果】
【０００９】
本発明によれば、差圧センサの出力のモニターによってフィルタの再生時期の判定を行うときの条件に極力近い温度の状態でゼロ点校正を行うことができ、差圧センサのゼロ点校正を的確に行える。
【発明を実施するための最良の形態】
【００１０】
以下、本発明の実施形態を図面に基づいて説明する。
【００１１】
図１において、２０はディーゼルエンジンで、２１は吸気通路、２２は排気通路を示す。排気通路２２には排気中のパティキュレートを捕集するフィルタ１を設置している。
【００１２】
フィルタ１のパティキュレートの捕集量が所定値に達すると、フィルタ１の再生処理を行うためにコントローラ３０を備える。コントローラ３０はマイクロプロセッサ、メモリ、入出力インターフェイス等で構成している。
【００１３】
フィルタ１の上流と下流の圧力差を検出するために、フィルタ１をバイパスする差圧検出通路に差圧センサ３を設けている。また、エンジン排気流量を検出するためにエンジン回転速度センサ６、エンジン負荷センサ７を、エンジン温度（冷却水温）を検出するために水温センサ１０を設けている。また、図示しないが、外気温を検出する外気温センサ等を設けている。
【００１４】
これら各センサの出力はコントローラ３０に送られ、コントローラ３０はこれらに基づいて、フィルタ１のパティキュレートの捕集量を判定し、所定のタイミングでフィルタ１の再生処理を行う。
【００１５】
フィルタ１の上流と下流の差圧は、パティキュレートの捕集量が増えるにしたがって増加するが、そのときの排気流量に応じて変動し、同一の捕集量のときは、排気流量が増加するほど差圧が大きくなる。すなわち、差圧センサ３による検出差圧が、排気流量を基に設定した所定圧に達すると、フィルタ１の再生時期と判定して、フィルタ１の再生処理を行う。この再生処理は、ディーゼルエンジン２０の燃料噴射装置（例えばコモンレール式噴射装置）２から噴射される燃料の噴射時期を通常運転時の噴射時期よりも遅らせたり、あるいは通常の噴射後にさらに１回噴射（ポスト噴射）することなどにより、排気温度を上昇させ、焼却処理することで実行する。
【００１６】
一方、差圧センサ３は、経時変化等により検出に誤差が生じてくるため、コントローラ３０が、差圧センサ３のゼロ点校正を行う。
【００１７】
この差圧センサ３のゼロ点校正の処理内容を、図２のフローチャートに基づいて説明する。
【００１８】
ステップＳ１では、エンジンキースイッチがオフされたかを見る。
【００１９】
ステップＳ２では、エンジンキースイッチがオフされた場合、エンジンが停止したか（エンジン回転がほぼ０）を見て、エンジンが停止した場合、ステップＳ３に進む。
【００２０】
ステップＳ３では、エンジンの冷却水温Ｔｗが基準温度ａ以上かどうかを見る。
【００２１】
基準温度ａは、例えば、６０℃で、エンジンの運転時に差圧センサ３の出力のモニターによってフィルタ１の再生時期の判定を行うときの温度条件と同等となるエンジンの冷却水温度である。
【００２２】
エンジンの冷却水温Ｔｗが基準温度ａ未満のときは、ゼロ点校正を行わず、終了する。
【００２３】
エンジンの冷却水温Ｔｗが基準温度ａ以上のときは、ステップＳ４に進む。
【００２４】
ステップＳ４では、外気温Ｔａが所定温度ｂ（例えば、３０℃）以下かどうかを見る。
【００２５】
外気温Ｔａが所定温度ｂよりも高いときは、ゼロ点校正を行わず、終了する。
【００２６】
外気温Ｔａが所定温度ｂ以下のときは、ステップＳ５に進む。
【００２７】
ステップＳ５では、タイマーによりエンジン停止後の経過時間ｔを計測する。
【００２８】
フィルタ１の上流と下流の差圧ΔＰは、エンジンが停止しても、直ぐにはゼロにならず、パティキュレートの捕集量によるフィルタ１の目詰まり具合にしたがって減少していくと共に、ゼロに近づくほど減少は遅くなり、ゼロになるのに所要時間かかる。
【００２９】
図３に、フィルタ１のパティキュレートの捕集量が最大量（再生を行うときの量）のときの、エンジン停止後の経過時間ｔに対するフィルタ１の上流と下流の差圧ΔＰの減少状態を示す。フィルタ１の上流と下流の差圧ΔＰは、エンジンが停止してから所要時間ｃが経過すると、ゼロになる。この所要時間ｃは、フィルタ１のパティキュレートの捕集量が最大量のときの時間に設定しているが、フィルタ１の容量、フィルタ１の温度によって目詰まり具合が変わり、所要時間ｃが変わるため、フィルタ１の容量、フィルタ１の温度（エンジンの冷却水温Ｔｗでも良い）に合わせて設定（例えば、１秒〜数１０秒）する。
【００３０】
エンジン停止後の経過時間ｔが所要時間ｃになると、ステップＳ６にて、差圧センサ３のゼロ点校正を行う。
【００３１】
すなわち、差圧センサ３の出力値Ｐｏｕｔがゼロでなければ、その出力値Ｐｏｕｔをゼロ点に校正する。
【００３２】
このように、エンジンの冷却水温Ｔｗが基準温度ａ以上であり、外気温Ｔａが所定温度ｂ以下であり、エンジン停止後、所要時間ｃが経過したときに、差圧センサ３のゼロ点校正を行うので、ゼロ点校正を精度良く行える。
【００３３】
エンジンの冷却水温Ｔｗが基準温度ａ（例えば、６０℃）以上、すなわち、差圧センサ３の出力のモニターによってフィルタ１の再生時期の判定を行うときの条件に極力近い温度の状態でゼロ点校正を行うので、ゼロ点校正を適正に行える。
【００３４】
また、外気温Ｔａが所定温度ｂ（例えば、３０℃）以下のときにゼロ点校正を行うので、差圧センサ３のゼロ点校正を適正に行える。
【００３５】
差圧センサ３自体の温度ならびに雰囲気温度が極めて高温の場合あるいは極めて低温の場合、差圧センサ３は、図４に示すように検出のバラツキならびに誤差が大きく、ゼロ点校正を行えないが、このように差圧センサ３の出力のモニターによってフィルタ１の再生時期の判定を行うときの条件に極力近い温度の状態かつ外気温Ｔａが所定温度ｂ（例えば、３０℃）以下のときにゼロ点校正を行うので、差圧センサ３のゼロ点校正を適正温度範囲にて的確に行えるのである。
【００３６】
そして、エンジン停止後、フィルタ１の目詰まり具合に対してフィルタ１の上流と下流の差圧ΔＰが確実にゼロになる所要時間ｃが経過したときに、差圧センサ３のゼロ点校正を行うので、ゼロ点校正を高精度で行える。
【００３７】
したがって、差圧センサ３の精度良いゼロ点校正により、フィルタ１の再生時期の判定を最適に行うことができるため、フィルタ１の再生を早めに行ったりする必要はなく、フィルタ１の再生のための燃料噴射の燃費の悪化を抑制できる。
【産業上の利用可能性】
【００３８】
車両ならびに車両以外のエンジンの排気浄化装置に適用できる。
【図面の簡単な説明】
【００３９】
【図１】本発明の実施形態の概略構成図である。
【図２】ゼロ点校正のフローチャートである。
【図３】フィルタの上流と下流の差圧の減少特性を示す図である。
【図４】差圧センサの温度に対する検出のバラツキ、誤差の特性を示す図である。
【符号の説明】
【００４０】
１  フィルタ
２  燃料噴射装置
３  差圧センサ
６  エンジン回転速度センサ
７  エンジン負荷センサ
１０  水温センサ
２０  エンジン
２１  吸気通路
２２  排気通路
３０  コントローラ
【図１】
2005307884.tif 000003
【図２】
2005307884.tif 000004
【図３】
2005307884.tif 000005
【図４】
2005307884.tif 000006